(57)【要約】【課題】電気機器収納箱に備えられる配線ダクトについて、カバー部が本体部から脱落することを抑制すること。【解決手段】本体部１１の長手方向の端面に当接する脱落防止部材２をカバー部１２に備えるか、カバー部１２の長手方向の端面に当接する脱落防止部材２を本体部１１に備える配線ダクト１のカバー部脱落防止構造とする。【選択図】図１
2018182890.tif 000002
【特許請求の範囲】
【請求項１】
本体部とカバー部で構成された電気機器収納箱用配線ダクトに対し、本体部の長手方向の端面に当接する脱落防止部材をカバー部に備えるか、カバー部の長手方向の端面に当接する脱落防止部材を本体部に備える配線ダクトのカバー部脱落防止構造。
【請求項２】
カバー部は、本体部の側端部に形成されたスライド部に嵌合され、脱落防止部材は、カバー部のスライドを阻止するようにスライド部を覆うように設けられる請求項１に記載の配線ダクトのカバー部脱落防止構造。
【請求項３】
脱落防止部材はカバー部の長手方向の端部に設けられるとともに、本体部のスライド部の端部を覆うように設けられる請求項２に記載の配線ダクトのカバー部脱落防止構造。
【発明の詳細な説明】
【技術分野】
【０００１】
本発明は、配線ダクトのカバー部脱落防止構造に関するものである。
【背景技術】
【０００２】
電気機器収納箱の内部に配線ダクトを設けることは知られている。特許文献１に記載されているように、配線ダクトは断面コ字状の本体部と、この本体の一部を覆うカバー部で構成されている。
【先行技術文献】
【特許文献】
【０００３】
【特許文献１】特開平０６−３０３７１２号公報
【０００４】
ところで、配線ダクトの長手方向が垂直となる場合、電気機器収納箱を輸送する際の振動の影響や、内部機器からの放熱による温度上昇の影響で、カバー部が下方にスライドしてしまい、本体部からカバー部が脱落する虞がある。
【発明の概要】
【発明が解決しようとする課題】
【０００５】
本件の発明者は、この点について鋭意検討することにより、解決を試みた。本発明の課題は、電気機器収納箱に備えられる配線ダクトについて、カバー部が本体部から脱落することを抑制することである。
【課題を解決するための手段】
【０００６】
上記課題を解決するため、本体部とカバー部で構成された電気機器収納箱用配線ダクトに対し、本体部の長手方向の端面に当接する脱落防止部材をカバー部に備えるか、カバー部の長手方向の端面に当接する脱落防止部材を本体部に備える配線ダクトのカバー部脱落防止構造とする。
【０００７】
カバー部は、本体部の側端部に形成されたスライド部に嵌合され、脱落防止部材は、カバー部のスライドを阻止するようにスライド部を覆うように設けられる構成とすることが好ましい。
【０００８】
脱落防止部材はカバー部の長手方向の端部に設けられるとともに、本体部のスライド部の端部を覆うように設けられる構成とすることが好ましい。
【発明の効果】
【０００９】
本発明では、電気機器収納箱に備えられる配線ダクトについて、カバー部が本体部から脱落することを抑制することが可能となる。
【図面の簡単な説明】
【００１０】
【図１】実施例１における脱落防止部材を取り付けた配線ダクトの斜視図である。
【図２】図１とは異なる方向から見た脱落防止部材を取り付けた配線ダクトの斜視図である。
【図３】実施例１における脱落防止部材を取り付けた配線ダクトの平面図である。
【図４】実施例１における脱落防止部材の斜視図である。
【図５】図４とは異なる方向から見た脱落防止部材の斜視図である。
【図６】実施例２における脱落防止部材を取り付けた配線ダクトの斜視図である。
【図７】実施例２における脱落防止部材を取り付けた配線ダクトの平面図である。
【図８】実施例２における脱落防止部材の斜視図である。
【図９】図８とは異なる方向から見た脱落防止部材の斜視図である。
【図１０】実施例３における脱落防止部材を取り付けた配線ダクトの斜視図である。ただし、二つの配線ダクトが並列に位置している。
【図１１】実施例３における脱落防止部材の斜視図である。
【図１２】実施例４における脱落防止部材を取り付けた配線ダクトの斜視図である。
【図１３】実施例４における脱落防止部材の分解斜視図である。
【図１４】実施例４における脱落防止部材の斜視図である。
【図１５】実施例５における脱落防止部材を取り付けた配線ダクトの斜視図である。
【図１６】実施例５における脱落防止部材の斜視図である。
【図１７】本体部に組まれたカバー部が下方にスライドする様子を表した図である。
【発明を実施するための形態】
【００１１】
以下に発明を実施するための形態を示す。本実施形態では、本体部１１とカバー部１２で構成された電気機器収納箱用配線ダクト１に対し、本体部１１の長手方向の端面に当接する脱落防止部材２をカバー部１２に備えるか、カバー部１２の長手方向の端面に当接する脱落防止部材２を本体部１１に備える配線ダクト１のカバー部１２脱落防止構造としている。このため、電気機器収納箱に備えられる配線ダクト１について、カバー部１２が本体部１１から脱落することを抑制することが可能となる。
【００１２】
本実施形態の本体部１１は長手方向と垂直となるように切った断面がコ字状となるように構成されている。また、略平板状のカバー部１２はコ字状の一部を覆うことで配線ダクト１を角筒状とすることができるものであり、側端部が本体部１１に嵌りながらスライドすることが可能なように構成されている。より具体的には、屈曲したカバー部１２の側端部が本体部１１の端部を覆うように嵌め合わされた状態で長手方向にスライドすることができるように構成されている。
【実施例１】
【００１３】
ここで、実施例１について説明する。図１乃至図３に示されていることから理解されるように、本実施例の脱落防止部材２は、カバー部１２の長手方向の上側の端部に設けられている。また、本実施例では、脱落防止部材２の前面部５１に設けられたねじ穴に対してねじを締め付け、脱落防止部材２の背面部５２とねじでカバー部１２を挟み込むことで、カバー部１２へ脱落防止部材２を固定している。しかし、カバー部１２への脱落防止部材２の固定方法は、それに限定されず、カバー部１２にもねじ穴を設け、ねじを貫通することで固定してもよいし、ねじを使用せず、クリップ形状のものでカバー部１２を挟み込むものとしてもよい。
【００１４】
本実施例の脱落防止部材２は、本体部１１の側端部に形成されたスライド部１６に嵌合されるカバー部１２に設けられている。また、脱落防止部材２はカバー部１２のスライドを阻止するように本体部１１のスライド部１６の端部を覆うため、カバー部１２の脱落を抑制することができる。また、本実施例の脱落防止部材２はカバー１２の上側端部に設け、前面からねじで固定するものであるため、本体部１１の前面側で脱落防止部材２の取り付け取り外し作業ができ、使い勝手が良くなる。また、脱落防止部材２の視認性を高めることができ、カバー部１２を取り外したい場合に、脱落防止部材２を外す作業が必要となることを理解しやすくなる。
【００１５】
本実施例の脱落防止部材２の形状は、断面略コ字状となっている。図４及び図５に示されていることから理解されるように、その横幅は、背面部５２よりも前面部５１の方が長く、上面部５３と前面部５１は同じ長さである。そうすることで、上面部５３を本体部１１のスライド部１６の上側端面に当接させることができ、カバー部１２の下方向へのスライドを規制する。このように脱落防止部材２を、カバー部１２の長手方向の上側の端部に設けることで、配線ダクト１の端面に設けられた配線孔を遮る面積を小さくすることができるため、端面から出し入れされるケーブルの量を制限する必要がない。
【実施例２】
【００１６】
次に実施例２について説明する。図６及び図７に示されていることから理解されるように、本実施例の脱落防止部材２は、実施例１と同様、カバー部１２の長手方向の上側の端部に設けられる。本実施例の脱落防止部材２は、断面略コ字状となっているが、その横幅が、前面部６１よりも上面部６３の方が長くなるように構成されている。つまり、上面部６３は前面部６１よりも側方に突出した部位である横拡張部６４を備えた構造であるが、この横拡張部６４を本体部１１のスライド部１６の上側端面に当接させることで、カバー部１２の下方向へのスライドを規制する。なお、前面部６１の横幅と背面部６２の横幅は同じ長さとしている。
【００１７】
また、図８及び図９に示されていることから理解されるように、本実施例の脱落防止部材２は、上面部６３に背面部６２よりも後方に延びる奥行拡張部６５を設けることで、上面部６３の奥行き幅を、前面部６１と背面部６２の間隔よりも長く形成している。このような構造とすることにより、脱落防止部材２を本体部１１のスライド部１６の上側端面に対してより大きな面で当接させることができ、カバー部１２の下方向へのスライドを規制する効果を高めることができる。
【実施例３】
【００１８】
次に実施例３について説明する。本実施例の脱落防止部材２は、本体部１１の長手方向の下側の端部に設けられる。本実施例では、図１０に示されていることから理解されるように、本体部１１のスライド部１６の一部が切断されているが、その切断箇所１７を利用して脱落防止部材２を取り付ける。脱落防止部材２は、カバー部１２を支える保持面７１を備えており、その保持面７１にカバー部１２を保持させることで、カバー部１２の下方向へのスライドを規制する。
【００１９】
図１０の左側及び図１１の左側に示した例においては、脱落防止部材２は、カバー部１２と同様、その両側端が本体部１１のスライド部１６に嵌められる構成であり、本体部１１の両端を架け渡すように保持面７１が位置することになる。一方、図１０の右側及び図１１の右側に示した例においては、本体部１１のスライド部１６の各々に別々の脱落防止部材２を取り付ける形態であり、各々の脱落防止部材２に保持面７１を備えている。なお、この例においては、左右何れか一方の脱落防止部材２のみを取り付けても、カバー部１２の脱落を抑制することは可能であるが、双方の脱落防止部材２を取り付けた方がカバー部１２を支える部位の面積を大きくすることが可能となり、見栄えも良くなる。
【実施例４】
【００２０】
次に実施例４について説明する。図１２に示されていることから理解されるように、本実施例の脱落防止部材２は、本体部１１の長手方向の下側の端部に設けられる。図１３に示されたことから理解されるように、本実施例の脱落防止部材２は、固定部材８１、連結部材８２、保持部材８３などの複数の部材で構成する。また、本実施例の固定部材８１は、雄ネジを挿入可能な取付穴８４を有しており、固定部材８１は配線ダクト１の本体部１１を電気電子機器収納用箱に固定する際に、共締めすることで固定される。取付穴８４は、その形状を長穴にすることで、本体部１１の取付穴（図示せず）に対応させやすくなる。
【００２１】
本実施例の連結部材８２は、固定部材８１と保持部材８３を連結する。図１４に示されているように、連結部材８２と固定部材８１を連結した場合に開口８５が形成される構成とすることで、ケーブルを通過させる配線孔として活用することができる。
【００２２】
保持部材８３は、カバー部１２の下端と接するものである。本実施例の保持部材８３は、連結部材８２に挿入されて固定される。より具体的には、保持部材８３に設けられた係止片８６を連結部材８２に設けられた係止孔８７に係止することで、保持部材８３が連結部材８２に固定される。このような形態であると、保持部材８３は交換可能となる。したがって、ある程度の長さを有した保持部材８３を準備すれば、その保持部材８３を切断加工して、配線ダクト１のサイズに合ったサイズの脱落防止部材２を形成することができる。このため、異なるサイズの配線ダクト１に対応させるために、複数種類の脱落防止部材２を用意しておく必要が無い。このようにして形成された脱落防止部材２は、保持部材８３がカバー部１２を保持するため、カバー部１２の下方向へのスライドを規制できる。なお、固定部材８１、連結部材８２、保持部材８３の形状は特に限定されず、固定部材８１と連結部材８２を一体の部材で形成してもよい。
【実施例５】
【００２３】
次に実施例５について説明する。図１５に示されていることから理解されるように、本実施例の脱落防止部材２は、本体部１１の長手方向の下側の端部に設けられる。配線ダクト１の本体部１１の側面には、複数の配線孔１４が設けられているが、本実施例では、この配線孔１４を脱落防止部材２に取り付けに利用する。具体的には、図１６に示すように、脱落防止部材２の左右側面に係止部９１を設け、図１５に示すように、本体部１１の端部に近い配線孔１４に、係止部９１を係止することで、脱落防止部材２を配線ダクト１の本体部１１にぶら下げた状態とする。この状態にすれば、カバー部１２は保持面９２に保持されるため、カバー部１２の下方向へのスライドを規制できる。
【００２４】
本実施例の脱落防止部材２は、略板状の保持面９２に開口９３を設けている。この開口９３は配線を通す孔として活用できる。なお、脱落防止部材２のサイズを小さくして、本体部１１の後端側に脱落防止部材２が位置しない形態とすることで、脱落防止部材２が本体部１１の端部を遮る面積を小さくすることができるため、本体部１１の端部を配線空間として活用できる。
【００２５】
各実施例に示すような脱落防止部材２を用いれば、脱落防止構造とすることができ、図１７に示すように、カバー部１２が本体部１１の下方に移動することが無く、カバー部１２の脱落を抑制することができる。また、脱落防止部材２は、取り外しが容易であるため、カバー部１２を取り外したい場合にも、迅速に対応することができる。また、各実施例のように、脱落防止部材２は、配線ダクト１の長手方向の一方の端部に設ける構造とすれば、作業環境や作業内容などによっては、脱落防止部材２を外さずに本体部１１からカバー部１２を取り外して作業を行うことが可能となる。
【００２６】
以上、いくつかの実施形態を中心に説明してきたが、本発明は上記実施形態に限定されることはなく、各種の態様とすることが可能である。例えば、脱落防止部材を固定する方法は、如何なる方法でも構わない。例えば板バネ等を使用してカバー部や本体部を挟み込むように固定することも可能である。
【符号の説明】
【００２７】
１  配線ダクト
２  脱落防止部材
１１  本体部
１２  カバー部
１６  スライド部
【図１】
2018182890.tif 000003
【図２】
2018182890.tif 000004
【図３】
2018182890.tif 000005
【図４】
2018182890.tif 000006
【図５】
2018182890.tif 000007
【図６】
2018182890.tif 000008
【図７】
2018182890.tif 000009
【図８】
2018182890.tif 000010
【図９】
2018182890.tif 000011
【図１０】
2018182890.tif 000012
【図１１】
2018182890.tif 000013
【図１２】
2018182890.tif 000014
【図１３】
2018182890.tif 000015
【図１４】
2018182890.tif 000016
【図１５】
2018182890.tif 000017
【図１６】
2018182890.tif 000018
【図１７】
2018182890.tif 000019